(57)【要約】【課題】握り状態にある手又は足に装着及び取り外しすることができながら、装着状態では少なくとも指先又は爪先等の指先部分と地肌との直接的な接触を確実に回避することができる手足装着具を提供する点にある。【解決手段】手又は足に装着自在で且つ握り状態にある指先部分に対応する部分に柔軟性のある指先受止め部１Ａが設けられた装着体１を備えている。【選択図】　　　　図１
2004065569.tif 000002
【特許請求の範囲】
【請求項１】
手又は足に装着自在で且つ握り状態にある指先部分に対応する部分に柔軟性のある指先受止め部が設けられた装着体を備えている手足装着具。
【請求項２】
前記装着体が、手又は足を挿入可能な柔軟性のある筒状体から構成されている請求項１記載の手足装着具。
【請求項３】
前記装着体の指先受止め部には、当接緩和体が備えられている請求項１又は２記載の手足装着具。
【請求項４】
前記装着体に、隣合う指間に差し入れ可能な軟質性の隙間形成体が片持ち状態で形成されている請求項１、２又は３記載の手足装着具。
【請求項５】
軟質性の筒状体の一端に軟質性の中空状の隙間形成体を手袋状に一体的に連通形成するとともに、筒状体には、挿通された手又は足の指を外部に導出するためのスリットを形成してある手足装着具。
【請求項６】
装着体において、前記筒状体の折り返し部分によって形成される環状凹部が、指間に挿通された隙間形成体の先端部を挟み込む差入れ部に構成されている請求項４又は５記載の手足装着具。
【請求項７】
前記隙間形成体が、それの先端を摘まんだ状態で、指先を通して指間に差し入れ可能な長さに構成されている請求項３〜６のいずれか１項に記載の手足装着具。
【請求項８】
前記隙間形成体が、編成手袋の指挿入部を利用して構成されている請求項３〜７のいずれか１項に記載の手足装着具。
【請求項９】
前記筒状体には、手の親指用の挿通孔が形成されている請求項２〜８のいずれか１項に記載の手足装着具。
【発明の詳細な説明】
【０００１】
【発明の属する技術分野】
本発明は、手又は足に装着自在な手足装着具に関する。
【０００２】
【従来の技術】
近年、医学の進歩には目覚しいものがある一方で、病気や病気の後遺症、或いは、事故等によって、手や足の指が握り状態に固定されてしまっている人が世間には多く存している。
【０００３】
【発明が解決しようとする課題】
特に、老人や肉体衰弱の人の中には、指間の常時密着による雑菌繁殖、指先や爪先等の指先部分と地肌との圧接による裂傷等の副次的な不都合を抱えている人も多く存在している。
また、このような症状で困っている人の中には、例えば、脳梗塞によって手や足に運動障害があるような場合等、握りによる指先による圧接（圧迫）部分に壊疽などを生じる，　所謂、褥瘡（じょくそう）などの不都合を生じることも多い。
そのため、患部の衛生に気を付けたり、常時密着を避けるためにガーゼや包帯を用いたりして、副次的な不都合を回避するようなことが、本人又は看護する人によって日常的に行われているが、いずれも手間で面倒見のかかる問題がある。
また、図２０に示すように、例えば、手の各指に環状の輪帯１０１を挿入するとともに、この輪帯１０１を一体に縫着した筒状の握り本体１０２を掌と指との間に握らせて、裂傷や褥瘡（じょくそう）の改善を目的とする手足装着具１００が存在している。
しかし、このような手足装着具１００においては、握り状態の手指の一本一本を、対応する輪帯１０１に逆らって挿入して握り本体１０２を握らせる状態にしなければならず、手指が握り状態に固定されている場合、装着及び取り外しに手間を要する問題があり、簡単に取り外し可能にすることができる手足装着具の出現が望まれている。
【０００４】
本発明は、上述の実状に鑑みて為されたものであって、その主たる課題は、握り状態にある手又は足に簡単に装着及び取り外しすることができながら、装着状態では少なくとも指先又は爪先等の指先部分と地肌との直接的な接触を確実に回避することができる手足装着具を提供する点にある。
【０００５】
【課題を解決するための手段】
本発明の請求項１による手足装着具の特徴構成は、手又は足に装着自在で且つ握り状態にある指先部分に対応する部分に柔軟性のある指先受止め部が設けられた装着体を備えている点にある。
【０００６】
上記特徴構成によれば、手又は足の指が握り状態にあって、指先部分と地肌部分とが直接に接触するような場合、指先部分と地肌部分との間に指先受止め部を位置させるように当該手足装着具を装着することによって、指先部分が指先受止め部を介して地肌と間接的に接触する状態になるとともに、指先部分が指先受止め部に柔軟に受止められることになる。
そのため、握り状態にある手又は足に装着及び取り外しすることができながら、装着状態では少なくとも指先部分と地肌との接触を確実に回避することができるので、指先部分が地肌に接触や圧接することによる従来の不都合を解消することができるとともに、簡単な構成であるので使い勝手がよい。
また、褥瘡の改善を目的に使用する場合においても、使い勝手がよいとともに、指先部分が地肌に接触や圧接することによる不都合を解消することができるので、長期に亘るリハビリ等に最良に対応することができる。
【０００７】
本発明の請求項２による手足装着具の特徴構成は、前記装着体が、手又は足を挿入可能な柔軟性のある筒状体から構成されている点にある。
【０００８】
上記特徴構成によれば、手又は足に筒状体を容易に装着及び取り外しすることができるとともに、装着された筒状体が手又は足の形状や動きに応じて柔軟に変化するため、握り状態にある手又は足への装着及び取り外しの容易化を図ることができながら、指先部分と地肌との接触も確実に回避することができる。
また、装着体が筒状体であるが故に、左右の区別なく使用することが可能で、使用時に右用であるか左用であるかの確認作業が不要で、取扱い性がよい。
ここで、握り状態にある指先部分に対応する筒状体部分が装着体の指先受止め部に該当する。
【０００９】
本発明の請求項３による手足装着具の特徴構成は、前記装着体の指先受止め部には、当接緩和体が備えられている点にある。
【００１０】
上記特徴構成によれば、手又は足の指が握り状態にあって、指先部分と地肌部分とが直接に接触するような場合、指先部分と地肌部分との間に指先受止め部を位置させるように当該手足装着具を装着することによって、指先部分が当接緩和体を備えた指先受止め部を介して地肌と間接的に接触する状態になるとともに、指先部分が指先受止め部に柔軟性良く受止められることになる。
【００１１】
本発明の請求項４による手足装着具の特徴構成は、手又は足に装着自在な装着体に、隣合う指間に差し入れ可能な軟質性の隙間形成体が片持ち状態で形成されている点にある。
【００１２】
上記特徴構成によれば、手又は足に装着体を装着し、隣合う指間に軟質性を利用して片持ち状態の隙間形成体を差し入れることにより、隣合う指間に隙間形成体を簡単に介在させることができるので、指間の密着を確実に回避しながら、握り状態にある手又は足に対しても簡単に装着及び取り外しすることができる。
【００１３】
本発明の請求項５による手足装着具の特徴構成は、軟質性の筒状体の一端に軟質性の中空状の隙間形成体を手袋状に一体的に連通形成するとともに、筒状体には、挿通された手の指を外部に導出するためのスリットを形成してある点にある。
【００１４】
上記特徴構成によれば、スリットから指を導出するように当該筒状体の他端から手又は足を挿入して、指先部分と地肌部分との間に指先受止め部を位置させるように装着する状態にし、この状態で、筒状体の一端に一体形成された隙間形成体を隣合う指間に差し入れることにより、筒状体の一部つまり指先受止め部を握る状態にすることができるとともに、隣合う指間に隙間形成体を介在させることができるので、握り状態にある手又は足に簡単に装着することができながら、指間の密着、指先部分と地肌との接触を確実に回避することができる。
そのため、例えば、一般の編成手袋の掌部分と親指を除く指挿入部との境界に、手袋内外を連通するスリットを形成することによって手足装着具を製作することができるが、隙間形成体の必要とするのは多くとも４本でよいので、親指を除く４本の指挿入部のみを形成する手袋を専用に製作し、この専用手袋の掌部分と指挿入部との境界に、手袋内外を連通するスリットを形成することによって手足装着具を製作することもできる。
【００１５】
本発明の請求項６による手足装着具の特徴構成は、装着体において、前記筒状体の折り返し部分によって形成される環状凹部が、指間に挿通された隙間形成体の先端部を挟み込む差入れ部に構成されている点にある。
【００１６】
上記特徴構成によれば、指間に挿通された隙間形成体の先端部を、差入れ部に挟み込ませた状態では、隙間形成体の先端部が筒状体に隠されて外部から見えない状態にすることができ、体裁のよい装着状態にすることができるので、見栄えの向上を図ることができる。
【００１７】
本発明の請求項７による手足装着具の特徴構成は、前記隙間形成体が、その先端を摘まんだ状態で、指先を通して指間に差し入れ可能な長さに構成されている。
【００１８】
上記特徴構成によれば、不必要な長さがないので、簡素でありながら機能性を重視した合理的な構成を形成することができる。
【００１９】
本発明の請求項８による手足装着具の特徴構成は、前記隙間形成体が、編成手袋の指挿入部を利用して構成されている。
【００２０】
上記特徴構成によれば、手指に対する使用感を重視する思想背景を持つ手袋の構成部分である編成手袋の指挿入部を利用することで、装着感の向上、指間の通気性の向上、指間の自然な介在感を形成することができるので、装着感を重視した品質の高い商品を形成することができる。
【００２１】
本発明の請求項９による手足装着具の特徴構成は、前記筒状体には、手の親指用の挿通孔が形成されている。
【００２２】
上記特徴構成によれば、親指用の挿通孔に親指を挿通する状態で、筒状体を手に装着することができるので、装着性や装着感の向上を図ることができる。
【００２３】
【発明の実施の形態】
〔第１実施形態〕
以下、本発明の第１実施形態の手足装着具Ａを図面に基づいて説明する。
この手足装着具Ａは、図１〜図８に示すように、メリヤス編みにより編成された柔軟性のある管状の装着体である筒状体１の一端開口縁に、手用であれば３本、足用であれば４本と言った必要本数の軟質性（柔軟性）の隙間形成体２…を片持ち状態に縫着することによって一体形成され、手又は足に対して筒状体１が装着自在で、且つ、装着状態で各隙間形成体２を隣合う指間に差し入れ可能に形成されている。
【００２４】
また、この手足装着具Ａにおいては、手又は足に対して外嵌装着した状態で、筒状体１の他端側を外向きに折返し、この折り返し部分によって形成される環状凹部をもって、指間に挿通された隙間形成体２…の先端部２ａを挟み込む差入れ部１Ａに形成してあるとともに、手又は足に対して外嵌装着した状態で指先部分が接当する折り重ねられた筒状体部分が柔軟性のある指先受止め部１Ａを構成する。
【００２５】
前記隙間形成体２は、先端を摘まんだ状態で、指先を通して指間に差し入れ可能な長さ　（例えば、１０ｍｍ〜７０ｍｍの間の長さ）に形成されているとともに、メリヤス編みにより形成された綿糸又は綿アクリル混紡糸からなる軍手等の編成手袋の指挿入部２Ａを利用して形成されている。
【００２６】
すなわち、この隙間形成体２は、手用であれば編成手袋の人指し指、中指、薬指の３本、足用であれば編成手袋の人指し指、中指、薬指、小指の４本に対応する指挿入部２Ａの付け根部分が一連に繋がる状態になった指挿入体２Ｂを単品形成し、この指挿入体２Ｂの付け根部分を筒状体１の一端周縁に縫着して、筒状体１と一体化してある。一般にはメリヤス編みの編成手袋の人指し指、中指、薬指、小指は夫々の長さが異なっているが、この実施形態の場合、各指挿入部２Ａは同じ長さに編成したものを用いている。
【００２７】
前記筒状体１は、メリヤス編みの編地１０を構成する地糸１１と、編地１０の外面側にループ状に突出する状態で編み込まれるパイル糸Ｐとをもって筒状に編成されて構成され、このメリヤス編みされた筒状編地の編み終端部を内側に折返して編み始端部に縫着して、表面側から裏面側に亘ってパイル糸Ｐを起毛する構成になっている。
【００２８】
編地１０を構成する地糸１１は、例えば、図９に示すように、一本の２０番ないし３０番の綿糸又は綿アクリル混紡糸あるいは２０番ないし３０番の毛糸又は毛アクリル混紡糸からなる表糸１１ａと、２０デニールのポリウレタンと７０デニールのナイロンとからなる一本の裏糸１１ｂとしての弾性糸（ＦＴＹ）から構成されているとともに、前記パイル糸Ｐは、表糸１１ａと同様に、一本の２０番ないし３０番の綿糸又は綿アクリル混紡糸あるいは２０番ないし３０番の毛糸又は毛アクリル混紡糸から構成され、厚みがありながらも伸縮性が大きな素地となっている。ここで、前記パイル糸Ｐは、図１０、図１１に示すように、編地１０を構成する地糸１１の一つである表糸１１ａをもって兼用構成されていて、表糸１１ａの各パイル形成部位をループ状に外方に突出させることにより、パイルＰ群を形成してある。
【００２９】
また、筒状に編成される編地１０のうち、筒軸芯方向の両端側に位置する適宜長さの領域には、編地１０を構成する地糸１１と共に所定本数のゴム糸１２が編み込まれている。
【００３０】
このような構成の手足装着具Ａを、握り状態の手Ｂに装着する手順を以下に説明する。
▲１▼　図２に示すように、手Ｂに対して、指の折り曲がり側と隙間形成体２とが対向位置するように、筒状体１を他端側の開口から手Ｂを挿入して装着する。
【００３１】
▲２▼　図３に示すように、筒状体１の他端側を外側に折返して差入れ部１Ａを形成する。この装着操作に際して、握り状態の指先部分と地肌部分である掌部分との間に折り重ねられた筒状体１部分が位置する状態にして、折り重ねられた筒状体１部分からなる指先受止め部１Ａに指先部分が柔軟に受止められる構成になっている。
【００３２】
▲３▼　図４、図５に示すように、夫々の隙間形成体２の先端を摘まんだ状態で、指先を通して対応する指間に差し入れ、隙間形成体２…の先端部２ａを差入れ部１Ａに挟み込んで、手Ｂに対する外嵌状態の装着を完了する。
【００３３】
ここで、差入れ部１Ａから隙間形成体２…の先端部２ａを抜き取り、指間から隙間形成体２…を外した後、筒状体１を手Ｂから取り外すことができる。
【００３４】
また、このような構成の手足装着具Ａを、握り状態の足Ｃに装着する場合、手Ｂの装着と同様の装着を実施する。
すなわち、▲１▼　図６に示すように、足Ｃに対して、指の折り曲がり側と隙間形成体２とが対向するように、筒状体１を他端側の開口から足先を挿入して装着する。
【００３５】
▲２▼　図７に示すように、筒状体１の他端側を外側に折返して差入れ部１Ａを形成する。この装着操作に際して、握り状態の指先部分と足裏部分との間に折り重ねられた筒状体１部分が位置する状態にして、折り重ねられた筒状体１部分からなる指先受止め部１Ａに指先部分が柔軟に受止められる構成になっている。
【００３６】
▲３▼　図７に示すように、夫々の隙間形成体２の先端を摘まんだ状態で、指先を通して対応する指間に差し入れ、隙間形成体２…の先端部２ａを差入れ部１Ａに挟み込んで、足Ｃに対する外嵌状態の装着を完了する。
【００３７】
ここで、差入れ部１Ａから隙間形成体２…の先端部２ａを抜き取り、指間から隙間形成体２…を外した後、筒状体１を足Ｃから取り外すことができる。
【００３８】
この実施形態の場合、筒状体１がパイル起毛された編成筒体であり、隙間形成体２…が手袋素材を用いて構成されているので、通気性、保温性、速乾性のある手足装着具Ａを形成することができる。
【００３９】
尚、手Ｂへの装着の場合、親指と人指し指との指間が密着状態になることがない場合もあるので、筒状体１に３本の隙間形成体２…を一体形成した手足装着具Ａを用いると合理的で、状況に対応することができる商品体系を形成することができるが、親指と人指し指との指間に介在させるために、筒状体１に４本の隙間形成体２…を一体形成する構成であってもよい。この場合、足用にもそのまま使用することができ便利である。
【００４０】
〔第２実施形態〕
この第２実施形態の手足装着具Ａは、図１３、図１４に示すように、表面にパイル起毛したメリヤス編みされた断面形状が環状な筒状部を輪状に編成してなる筒状体２０と、この筒状体２０内に収容された当接緩和体２１とから形成され、前記筒状体２０が、手Ｂ又は足Ｃに装着自在で且つ握り状態にある指先部分に対応する部分に柔軟性のある指先受止め部２０Ａが設けられた装着体を構成し、前記当接緩和体２１が筒状体２０の指先受止め部２０Ａに備えられた構成になっているものである。
【００４１】
前記筒状体２０は、手又は足に対して弾性収縮力が作用する周方向長さに設定され、掌側又は足裏側に対応する部分に、手においては親指を除く指が対応する幅に亘って前記当接緩和体２１が配備されている。
【００４２】
筒状体２０は、メリヤス編みされた筒状の素地の一端開口部と他端開口部とを合わせ縫着することによって、断面形状が環状な筒状部が輪状に形成され、この形成段階で当接緩和体２１を予めに収容して偏平筒状部内に当接緩和体２１が収納された筒状体２０が形成される。筒状体２０の周方向と直交する長さとしては、例えば、手の親指の付け根から人差し指の付け根の間の距離程度の長さに設定されている。
【００４３】
前記当接緩和体２１は、例えばシリコン、スポンジ、布、フエルト、低反発弾性不織布　（ウレタン素材系不織布）等の素材を用いて形成され、素地自体がシート状のものであれば積層状態にして適切な柔軟性を形成したり、肉厚さのある素地であればそのままの利用によって柔軟性を形成したりして使用されるものである。
【００４４】
このような構成の手足装着具Ａにおいては、図１５に示すように、手Ｂに対して握り状態の指と掌との間に、指先受止め部が位置する状態に筒状体２０を外嵌状態に装着することによって、筒状体２０自体の生地と当接緩和体２１とによって形成された指先受止め部２０Ａに指先部分が位置対応するので、指先部分を柔軟に受止めることができる。
【００４５】
また、このような構成の手足装着具Ａを、握り状態の足Ｃに装着する場合、手Ｂの装着と同様に、足Ｃに対して握り状態の指に対応して指先受止め部２０Ａを位置する状態に筒状体２０を外嵌状態に装着することによって、指先受止め部２０Ａに指先部分が柔軟に受止められることになる。
【００４６】
尚、上記第２実施形態の手足装着具Ａでは、装着体である筒状体２０に上記第１実施形態における隙間形成体２…に相当するものが備えられていないものについて説明したが、本発明はこれに限らず、第１実施形態と同様な隙間形成体を筒状体２０に設けて第３実施形態を構成してもよい。
〔第３実施形態〕
【００４７】
この第３実施形態の場合、手Ｂへの装着を例にとれば、図１６に示すように、隙間形成体２…が指先受止め部側の筒状体２０部分に備えられているものである場合、使用状態では、図１７に示すように、指握り状態の指先から指付け根側に向けて、各隙間形成体２…を指間に介在させるとともに、各隙間形成体２…の先端部を指先受止め部が備えられていない側の筒状体２０部分と地肌との間に挿入して、見栄えの良い装着状態を形成することができ、図１８に示すように、隙間形成体２…が指先受止め部側と対向する筒状体２０部分に備えられているものである場合、使用状態では、図１９に示すように、握り状態の指付け根から指先側に向けて、各隙間形成体２…を指間に介在させるとともに、各隙間形成体２…の先端部を指先受止め部２０Ａが備えられている側の筒状体２０部分と地肌との間に挿入して、見栄えの良い装着状態を形成することができる。
第２、３実施形態で第１実施形態と同様構成部分には同符号を附してその説明を省略する。
【００４８】
〔その他の実施形態〕
１）上記第１実施形態において、別体構成の筒状体１と隙間形成体２…とを一体形成することによって手足装着具Ａを構成する例を説明したが、本発明はこれに限らず、筒状体１の一端に中空状の隙間形成体２…を手袋状に一体形成するとともに、筒状体１には、挿通された手の指を外部に導出するためのスリットＳを形成して手足装着具Ａを構成するものであってもよい。
具体的には、例えば、図８に示すように、親指を除く４本の指挿入部２のみを形成するメリヤス編みなどで編成された手袋ａを専用に製作し、この専用手袋ａの掌部分ｂと指挿入部ｃとの境界に、手袋内外を連通するスリットＳを形成して手足装着具Ａを構成してもよい。現実には、掌部分ｂと指挿入部ｃとの境界に切れ込みを入れ、この切れ込み周りに縁飾り縫い等の縁飾り処理を行ってスリットＳは形成される。
この場合、手袋ａの手挿入開口ｄからスリットＳに至る掌部分ｂが筒状体１を構成し、手袋の各指挿入部ｃが隙間形成体２…を構成する。
また、上記の構成以外に、一般の手袋の掌部分と親指に対応する指挿入部を除く指挿入部との境界に、手袋内外を連通するスリットＳを形成して手足装着具Ａを構成してもよい。
さらに、筒状体１に、隣合う指間に差し入れ可能な少なくとも３本の軟質性のある太紐を片持ち状態に一体形成して手足装着具Ａを構成してもよい。
【００４９】
尚、上記各実施形態の手足装着具Ａでは、装着体の一例である筒状体１と隙間形成体２…とを、中空状に編成された手袋ａから構成したが、柔軟性のある装着体１と隙間形成体２…とを、図８に示す輪郭形状で非中空の偏平状にメリヤス編みなどで編成するとともに、装着体１に、手（又は足）の差入れ口となるスリットＳを形成して実施しても良い。
【００５０】
２）上記各実施形態において、筒状体１は手又は足に対して、外嵌状態に装着可能なものについて説明したが、これに限らず、図１２に示すように、手又は足に対して装着可能な前記筒状体１には、手の親指が挿脱可能な挿通孔１Ｂが形成されている手足装着具Ａにしてもよい。この場合、左右の親指に対応するように、筒状体１の２箇所に挿通孔１Ｂを形成して、左右の兼用化することができる構成であっても、右用又は左用に対応して筒状体１の１箇所に挿通孔１Ｂを形成する構成であってもよい。
このような構成にすることによって、親指用の挿通孔１Ｂに親指を挿通する状態で、筒状体１を手に装着することができる。
【００５１】
３）上記第１実施形態において、手又は足に対して外嵌装着した状態で指先部分が接当する折り重ねられた筒状体部分が柔軟性のある指先受止め部１Ａを構成する例を説明したが、本発明はこれに限らず、例えば、筒状体などの装着体は手又は足に対して装着自在であるシート状の素材等からなり、装着によって指先部分が対応する部分に柔軟性を有する当接緩和体を装着体に設けて指先受止め部を構成するものであってもよい。
【００５２】
４）上記第２，３実施形態において、当接緩和体２１が筒状体２０内に収容された例について説明したが、本発明はこれに限らず、筒状体２０の表面に当接緩和体を固着する構成であってもよい。
【図面の簡単な説明】
【図１】本発明の第１実施形態の手足装着具を示す斜視図
【図２】手足装着具を手に装着する前の状態を示す使用説明図
【図３】手足装着具の筒状体を手に装着した状態を示す使用説明図
【図４】手足装着具の筒状体を手に装着した状態を示す使用説明図
【図５】手足装着具の筒状体を手に装着した状態を示す使用説明図
【図６】手足装着具を足に装着する前の状態を示す使用説明図
【図７】手足装着具の筒状体を手に装着した状態を示す使用説明図
【図８】別実施形態の手足装着具を示す斜視図
【図９】要部を拡大して示す編組成図
【図１０】要部を拡大して示す編組成図
【図１１】要部を拡大して示す編組成図
【図１２】別実施形態の手足装着具を示す斜視図
【図１３】本発明の第２実施形態の手足装着具を示す斜視図
【図１４】手足装着具を手に装着する前の状態を示す使用説明図
【図１５】手足装着具の筒状体を手に装着した状態を示す使用説明図
【図１６】本発明の第３実施形態の手足装着具を示す斜視図
【図１７】手足装着具の筒状体を手に装着した状態を示す使用説明図
【図１８】本発明の第３実施形態の手足装着具を示す斜視図
【図１９】手足装着具の筒状体を手に装着した状態を示す使用説明図
【図２０】従来の手足装着具を示す斜視図
【符号の説明】
Ａ　　　　　　手足装着具
Ｂ　　　　　　手
Ｃ　　　　　　足
Ｓ　　　　　　スリット
１　　　　　　装着体（筒状体）
１Ａ　　　　　差入れ部
１Ｂ　　　　　挿通孔
２　　　　　　隙間形成体
２ａ　　　　　先端部
２０　　　　　筒状体（装着体）
２０Ａ　　　　指先受止め部
２１　　　　　当接緩和体
【図１】
2004065569.tif 000003
【図２】
2004065569.tif 000004
【図３】
2004065569.tif 000005
【図４】
2004065569.tif 000006
【図５】
2004065569.tif 000007
【図６】
2004065569.tif 000008
【図７】
2004065569.tif 000009
【図８】
2004065569.tif 000010
【図９】
2004065569.tif 000011
【図１０】
2004065569.tif 000012
【図１１】
2004065569.tif 000013
【図１２】
2004065569.tif 000014
【図１３】
2004065569.tif 000015
【図１４】
2004065569.tif 000016
【図１５】
2004065569.tif 000017
【図１６】
2004065569.tif 000018
【図１７】
2004065569.tif 000019
【図１８】
2004065569.tif 000020
【図１９】
2004065569.tif 000021
【図２０】
2004065569.tif 000022